(57)【特許請求の範囲】
【請求項１】
膨張黒曜石１０〜９０重量部と木炭９０〜１０重両部とから構成される調湿材であって、前記膨張黒曜石及び前記木炭は、直径又は１辺の長さが３ｍｍ以上５ｃｍ以下であることを特徴とする家屋調湿材。
【請求項２】
前記膨張黒曜石及び前記木炭の直径又は１辺の長さは、１ｃｍ以上３ｃｍ以下であることを特徴とする請求項１に記載の家屋調湿材。
【請求項３】
前記調湿材が、通気性かつ非通水性のシート状物によって包まれていることを特徴とする請求項１または請求項２に記載の家屋調湿材。
【発明の詳細な説明】
【０００１】
【発明の属する技術分野】
本発明は家屋調湿材に関し、より詳しくは、調湿機能と脱臭機能を備えて、床下や天井裏で用いられる家屋調湿材に関する。
【０００２】
【発明が解決しようとする課題】
日本は四季によって気温や湿度の変化が著しく、夏は高温多湿であり、冬は低温低湿である。特に、梅雨時は人間にとって非常に不快な季節であるが、家屋にとっても問題がある。すなわち、梅雨時は多雨高湿であるため、床下が湿めり、家屋構造材が腐ったり、白蟻の被害が発生したりする。このため、床下を湿らせないための種々の対策が取られてきた。例えば、床下の風通しを良くすること、床下にコンクリートを敷設すること、床下に防蟻シートを敷設すること等々が行われてきた。
【０００３】
しかしながら、床下を乾燥させればさせる程良い、というわけではない。床下が乾燥すれば、屋内の湿度に影響して居住性が低下するだけでなく、家屋を構成する構造材、特に、柱や壁板等の木材に変形やひび割れが生じる。したがって、床下は高湿でもなく乾燥状態でもなく、適切な湿度に調整されていることが望ましいのである。
【０００４】
従来、床下の湿度を下げるために、木炭を敷設することも行われてきた。木炭は吸湿機能と共に脱臭機能も有し、吸湿材として優れた材料である。しかしながら、木炭は吸湿量が比較的少ないことと、放湿機能に劣るため、湿度を調節する呼吸作用が不十分であること等の問題があった。
【０００５】
また、床下の湿度だけでなく、屋内の湿度の調整も大切である。屋内の湿度が高いと、居住者にとって不快であるだけでなく、ダニやカビが発生する問題もある。逆に、湿度が低く過ぎると、身体が乾燥して喉を傷めたり、皮膚がカサカサしたり、風邪を引きやすくなったりする問題がある。したがって、屋内も適切な湿度に調整されることが望まれる。
【０００６】
このような屋内の湿度調整に対し、エアコンや加湿器、除湿器等々によって、湿度を調整する方法が採用されてきた。ところが、人工的な調節方法では体質に合わない人が多く、自然環境に似た、ゆるやかな調整方法が期待されている。
【０００７】
しかしながら、近年の家屋は、冷暖房の効率を上げるために密閉度が増し、自然的な換気が益々難しくなってきている。また、新しい建材の開発に伴い、身体に有害な揮発成分の発生が問題となっており、これら有害な揮発成分の除去方法の開発も重要である。
【０００８】
そこで本発明者は、調湿機能と吸着・脱臭機能を備えた家屋調湿材について、鋭意検討した結果本発明に至ったのである。
【０００９】
本発明は、上記課題を解決するため次の手段を取るものである。すなわち、本発明に係る家屋調湿材は、膨張黒曜石１０〜９０重量部と木炭９０〜１０重両部とから構成される調湿材であって、前記膨張黒曜石及び前記木炭は、直径又は１辺の長さが３ｍｍ以上５ｃｍ以下であることを特徴とする。
【００１０】
次に、本発明に係る家屋調湿材は、前記膨張黒曜石及び前記木炭の直径又は１辺の長さは、１ｃｍ以上３ｃｍ以下であることを特徴とする。
【００１１】
また、かかる家屋調湿材において、上記調湿材が、通気性かつ非通水性のシート状物によって包まれていることにある。
【００１２】
【発明の実施の形態】
本発明に係る家屋調湿材の趣旨とするところは、吸湿・脱臭機能を備えた木炭と、吸湿・放湿機能に優れた膨張黒曜石とを組み合わせて、互いの長所を十分に活かすことにある。すなわち、木炭だけでは放湿機能が乏しいので調湿作用が不十分であり、膨張黒曜石だけでは吸着・脱臭機能が無いので清浄な雰囲気を得ることが出来ない。両者を組み合わすことによって、調湿機能と脱臭機能とを備えた家屋調湿材とすることが出来るのである。
【００１３】
ここで、本発明で言う膨張黒曜石とは、黒曜石を焼成して膨張させ、多孔質軽量化させた物を意味し、いわゆるパーライトと呼ばれるものである。この膨張黒曜石は見掛け比重が０．３〜０．６、嵩密度が０．１位に軽量化された物が好ましい。
【００１４】
なお、同じくパーライトと呼ばれ、真珠岩から焼成される多孔質軽量化物があるが、放湿機能が乏しいので本発明に使用するのは好ましくない。また、ゼオライトは、吸湿・放湿機能に優れた調湿材であるが、膨張黒曜石に較べて比重が大きいため、使用方法に限界があり、本発明に使用することは好ましくない。膨張黒曜石と木炭との組み合わせによってのみ、最も好ましい軽量で調湿機能と脱臭機能とを備えた家屋調湿材を構成することが出来るのである。
【００１５】
また、木炭とは、木、竹、籾殻等々から焼成される炭化物を意味して、その原料は特に限定されないが、吸湿・脱臭機能が優れていることから、木を原料とした木炭が好ましい。木炭は間伐材を焼成して粉砕した物、木材の破砕屑を焼成した物等々、原料の形態は様々であり、限定されない。
【００１６】
本発明の家屋調湿材は、１０〜９０重量部の膨張黒曜石と９０〜１０重量部の木炭とから構成され、特に約７０重量％の膨張黒曜石と約３０重量％の木炭の割合が好ましい。木炭の見掛け比重は０．４〜１．２位であり、膨張黒曜石の見掛け比重より大きいから、体積による構成比率は、上記重量比率と較べて木炭のほうが小さくなる。膨張黒曜石が１０重量部より少なくなれば、調湿機能が不十分になり、木炭が１０重量部より少なくなれば脱臭機能が不十分になる。膨張黒曜石と木炭とは層状に重ねられてもよいが、混合されて敷設される方が作業が簡単になる。
【００１７】
また、膨張黒曜石と木炭の形状は、直径又は１辺の長さが約３ｍｍから５ｃｍ位の粒状又は塊状で用いられ、より好ましくは約１ｃｍ〜３ｃｍ位の大きさの物が良い。均一に混合するには、両者の粒径を大体同じ大きさにすると良い。粒径が約３ｍｍ以下になれば通気性が悪くなり、約５ｃｍ以上になれば表面積が小さくなって、調湿・脱臭機能が低下してしまう。
【００１８】
本発明の家屋調湿材の使用場所は、床下等の屋外でも、押入れ内や天井裏等の屋内でも使用することができ、特に限定されない。床下に敷設すれば、その優れた調湿機能によって床下の湿気を除き、家屋構造材の腐れや白蟻被害を防ぐことができ、しかも、適切な湿度に維持されるので、木材の変形やひび割れを防ぐことができる。また、屋内に用いれば、ダニやカビの発生を防止でき、更に、自然的に穏やかに湿度調整されるので、人体にとっても理想的な環境となり、風邪に対する抵抗力を増すことや皮膚、喉の乾燥を防ぐことができる。
【００１９】
以上、本発明に係る家屋調湿材の実施の形態を説明したが、本発明は上述の形態に限定されるものではない。
【００２０】
たとえば、本発明に係る家屋調湿材は、天井裏に使用する家屋調湿材として構成することができる。すなわち、屋内全体を調湿するために、天井裏に調湿材を敷設するのが有効な手段であるが、調湿材が重ければ、家屋の構造を補強しなければならず経済的負担が大きい。膨張黒曜石は、嵩密度が０．１位で非常に軽量であるため、家屋の構造を特別に配慮しなくてもよい。また、膨張黒曜石は調湿材であると同時に断熱材でもあるため、天井裏に膨張黒曜石を敷設すれば、室内の保温断熱に役立つ効果も得られる。従来、ガラスウール等によって行っていた保温断熱の代替え又は補足として機能させることもできる。
【００２１】
天井裏に使用する家屋調湿材として、膨張黒曜石を単独で使用してもよいし、木炭等と一緒に用いてもよい。木炭を混ぜて用いることにより、木炭の有する脱臭機能によって、家屋の建材から発生する各種の臭気または有害ガスや、鼠等の排泄物の臭い等を除くことができる。
【００２２】
本発明に係わる家屋調湿材は、床下、天井裏等に散布する等、直に敷設されてもよいが、通気性のシートに包んでマット状あるいは座布団状として用いるのが好ましい。シートに包まれていなければ、運搬が非常に面倒であるし、施工時の作業性が悪い。また、床下などの屋外に敷設する場合には、膨張黒曜石が軽量のため、風に飛ばされることもあるので好ましくない。
【００２３】
特に、調湿材を通気性かつ非通水性のシートで包み、運搬や施工時の作業性を向上させると共に、調湿・脱臭の機能をさらに効率よく発現させることも可能である。通気性は本発明の目的からして当然必要な特性である。非通水性であるために得られる効果は２点ある。１点は、特に床下などの屋外で使用される場合に関し、調湿材を収容したマット状物が水で濡れた時にも、中の調湿材が濡れないようにして、吸湿機能を早く回復させることにある。なお、ここでいう非通水性のシートとは、空気中に含まれる水蒸気等の水分は通過し得るものであることは言うまでもない。
【００２４】
もう１点は、調湿材の微粉末がマット状物から抜け出ないようにすることである。膨張黒曜石は非常に軽く脆いため、僅かの力で崩れて微粉末となる。また、木炭も比較的柔らかくて砕けやすく微粉末に成りやすい。したがって、シートに包まれてマット状物を形成した時には約３ｍｍ〜５ｃｍの粒状であっても、保管や運搬の間に微粉末が発生してマット状物から抜け出す恐れがあり、その対策が必要となるのである。特に、木炭の微粉末は黒色であり周囲を汚すので、充分な対策が必要である。通気性かつ非通水性のシート状物には、微粉末が抜け出るような大きな穴は無いので、上記の目的を充分に達成することができる。
【００２５】
通気性かつ非通水性のシート状物としては、市販の種々のシートを用いることができる。すなわち、通気性かつ非通水性のシート状物には目の細かい織物、微小な穴を設けたフィルム、不織布、あるいはこれらの積層物等々を用いることができる。中でも好ましいのは不織布であり、いわゆるスパンボンド法不織布、フラッシュ紡糸法不織布、メルトブロー法不織布等が適している。これらの不織布は柔軟性、通気性、強靱性等々の物性に優れ、しかも比較的低価格であり、好ましい。
【００２６】
図１は、本発明の家屋調湿材の使用状態の例を示すものであり、床下１０には床下用マット１２が、天井裏２０には天井マット２２が敷設されている。また、図２は、床下用マット１２を敷設する様子を模式的に示したものである。
【００２７】
その他、本発明はその趣旨を逸脱しない範囲内で、膨張黒曜石や木炭の性状、調湿材の包装形態等々につき、当業者の知識に基づき種々なる改良、修正、変形を加えた態様で実施し得るものである。
【００２８】
本発明の実施例を、以下に詳しく説明する。
【００２９】
第１の実施例
膨張黒曜石７０重量部と木炭３０重量部とを混合して家屋調湿材を製造した。膨張黒曜石の嵩密度は０．１、木炭の嵩密度は０．５であり、それぞれの粒子径は約１ｃｍ〜２ｃｍであった。本例の家屋調湿材１８リットルを、５０ｃｍ×５０ｃｍの不織布（商品名ユニセル  ＢＴ２１０９Ｗ  ７０ｇ、材質ポリエチレン、帝人社製）からなる袋に詰め、図２に示されるように、１ｍ2当たり４袋の割合で床下に敷設した。その結果、床下の湿度が低下し、白蟻の発生は見られなかった。
【００３０】
第２の実施例
第１の実施例に用いた家屋調湿材１４リットルを４０ｃｍ×４０ｃｍの袋に詰め、１ｍ2 当たり６袋の割合で天井裏に敷設した。その結果、室内の温度と湿度の変化が、１年を通じて減少し、居住性が向上した。
【００３１】
第３の実施例
第２の実施例に用いた家屋調湿材を８０ｃｍ×１７０ｃｍのマット状の袋に厚み３ｃｍで詰め、それを一間幅の押入れに入れて使用した。その結果、押入れ内の湿気が減り、臭気がなくなった。
【００３２】
【発明の効果】
本発明の家屋調湿材によれば、膨張黒曜石の吸湿・放湿機能と木炭の吸湿・吸着・脱臭機能とが相乗的に作用する。そのため、床下などの屋外に用いれば、家屋の構造体の腐れを防止し白蟻被害の発生を防ぐことができる。また、押入れや天井裏などの屋内に用いれば、ダニやカビの発生を抑えることができるし、自然的で快適な湿度に調節されるので居住性が向上する。
【００３３】
さらに、家屋調湿材を天井裏に用いる使用法によれば、家屋内の湿度調整、脱臭、有害ガスの除去という効果に加えて、家屋調湿材が断熱材として機能することにより、室内の保温断熱効果が向上し、冷暖房に伴う光熱費を減少させ得ることができる。
【００３４】
また、家屋調湿材を通気性かつ非通水性のシートで包むことによって、運搬・施工の作業性が向上する効果が得られる。また、家屋調湿材が水に濡れないために調湿機能が安定する効果が得られ、更に、膨張黒曜石や木炭の微粉末がこぼれ出て、周囲を汚すことを防ぐ効果も得られる。
【図面の簡単な説明】
【図１】本発明に係わり、家屋調湿材の使用状態を示す模式図である。
【図２】本発明に係わり、家屋調湿材を床下に敷設する方法を示す説明図である。
【符号の説明】
１０：床下
１２：床下用マット
２０：天井裏
２２：天井マット
【図１】
0003803760.tif 000002
【図２】
0003803760.tif 000003